【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
高周波ビームを放射するアンテナ素子アレイと、
アンテナ素子アレイの上に位置する屈折率分散型レンズであって、高周波ビームが屈折率分散型レンズから出射するときに、高周波ビームが屈折率分散型レンズに入射する第１角度を第２角度に変化させ、高周波ビームが屈折率分散型レンズに入射する位置が変化するときに第２角度が変化する、屈折率分散型レンズと、
屈折率分散型レンズの上に位置し、高周波ビームがメタマテリアルレンズから出射するときに、高周波ビームがメタマテリアルレンズに入射する第２角度を第３角度に変化させる、バッキーボール形状のメタマテリアルレンズと
を備えた装置。
【請求項２】
メタマテリアルレンズが、負屈折率メタマテリアル及び正屈折率メタマテリアルのうちの少なくとも１つにより構成されている、請求項１に記載の装置。
【請求項３】
アンテナ素子アレイが、アンテナ素子アレイ内の多数のアンテナ素子を使用して高周波ビームを放射し、アンテナ素子アレイから多数のアンテナ素子を選択するコントローラを備えている、請求項１に記載の装置。
【請求項４】
アンテナ素子の数を変更することにより位置が変化する、請求項１に記載の装置。
【請求項５】
アンテナ素子アレイが、メタマテリアルレンズ及び屈折率分散型レンズを通過する第２高周波ビームを受信する、請求項１に記載の装置。
【請求項６】
第３角度が、アンテナ素子アレイが位置する平面に対して略平行である、請求項１に記載の装置。
【請求項７】
メタマテリアルレンズが複数の不連続要素を含んでいる、請求項１に記載の装置。
【請求項８】
複数の不連続要素が、１つの構成に配置された複数のメタマテリアルユニットセルを含んでいる、請求項７に記載の装置。
【請求項９】
アンテナ素子アレイ内の多数のアンテナ素子が、アンテナ素子アレイ内で互いに隣接する第１アンテナ素子、及びアンテナ素子アレイ内で互いに隣接しない第２アンテナ素子のうちの一方から選択される、請求項１に記載の装置。
【請求項１０】
屈折率分散型レンズが、負屈折率メタマテリアル及び正屈折率メタマテリアルのうちの少なくとも１つにより構成されている、請求項１に記載の装置。
【請求項１１】
更にプラットフォームを備えており、アンテナ素子アレイ、屈折率分散型レンズ、及びメタマテリアルレンズがプラットフォームに設置されており、プラットフォームが、移動プラットフォーム、静止プラットフォーム、陸上構造、水中構造、空中構造、航空機、水上艦、戦車、人員運搬車、列車、宇宙船、宇宙ステーション、衛星、潜水艦、自動車両、及び建築物のうちの１つから選択される、請求項１に記載の装置。
【請求項１２】
高周波ビームを放射するアンテナ素子アレイと、
アンテナ素子アレイの上に位置する屈折率分散型レンズであって、高周波ビームが屈折率分散型レンズから出射するときに、高周波ビームが屈折率分散型レンズに入射する第１角度を第２角度に変化させ、高周波ビームが屈折率分散型レンズに入射する位置が変化するときに第２角度が変化する、屈折率分散型レンズと、
屈折率分散型レンズの上に位置する負屈折率メタマテリアルレンズであって、バッキーボール形状を有し、かつ高周波ビームが負屈折率メタマテリアルレンズから出射するときに、高周波ビームが負屈折率メタマテリアルレンズに入射する第２角度を第３角度に変化させる負屈折率メタマテリアルレンズと、
アンテナ素子アレイから多数のアンテナ素子を選択して、高周波ビームが屈折率分散型レンズに入射する位置を変化させるコントローラと
を備えたアンテナシステム。
【請求項１３】
高周波ビームをステアリングする方法であって、
アンテナ素子アレイから第１角度で屈折率分散型レンズに向けて、屈折率分散型レンズの一の位置に、高周波ビームを放射することと、
高周波ビームが屈折率分散型レンズから出射するときに、高周波ビームの第１角度を第２角度に変化させることであって、高周波ビームが屈折率分散型レンズに入射する位置が変化すると第２角度が変化することと、
第２角度の高周波ビームが、屈折率分散型レンズの上に位置するバッキーボール形状の負屈折率メタマテリアルレンズを通過するときに、高周波ビームの第２角度を第３角度に変化させることと
を含む方法。
【請求項１４】
アンテナ素子アレイから多数のアンテナ素子を選択して、高周波ビームを前記位置に放射することを更に含む、請求項１３に記載の方法。
【請求項１５】
高周波ビームが第１高周波ビームであり、前記位置が第１位置であり、更に、
アンテナ素子アレイから第４角度で屈折率分散型レンズに向けて、屈折率分散型レンズの第２位置に、第２高周波ビームを放射することと、
第２高周波ビームが屈折率分散型レンズから出射するときに、第２高周波ビームの第４角度を第５角度に変化させることであって、第２高周波ビームが屈折率分散型レンズに入射する第２位置が変化するときに第５角度が変化することと、
第５角度の第２高周波ビームが負屈折率メタマテリアルレンズを通過するときに、第２高周波ビームの第５角度を第６角度に変化させることと
を含む、請求項１３に記載の方法。
【手続補正２】
【補正対象書類名】明細書
【補正対象項目名】０１６８
【補正方法】変更
【補正の内容】
【０１６８】
異なる有利な実施形態についての記述を、例示及び説明のために行なってきたが、本記述は、網羅的になるように行なわれるのではない、又は本発明を、開示される構成の実施形態に限定するために行なわれるのではない。多くの変形及び変更は、この技術分野の当業者には明らかであろう。更に、異なる有利な実施形態は、他の有利な実施形態と比べると、異なる利点を提供することができる。選択される実施形態又は実施形態は、これらの実施形態の原理、実際の用途を最良に説明するために、この技術分野の他の当業者が、種々の変形を加え得る種々の実施形態の開示内容を、考えられる特定の使用に合わせて理解することができるために選択され、記載されている。
また、本発明は以下に記載する態様を含む。
（態様１）
高周波ビームを放射するアンテナ素子アレイと、
アンテナ素子アレイの上に位置し、高周波ビームがレンズから出射するときに、高周波ビームがレンズに入射する第１角度を第２角度に変化させるレンズであって、高周波ビームがレンズに入射する位置が変化するときに第２角度が変化するレンズと、
レンズの上に位置し、高周波ビームがメタマテリアルレンズから出射するときに、高周波ビームがメタマテリアルレンズに入射する第２角度を第３角度に変化させるメタマテリアルレンズと
を備えた装置。
（態様２）
メタマテリアルレンズが、負屈折率メタマテリアルレンズ及び正屈折率メタマテリアルレンズから成るグループから選択される、態様１に記載の装置。
（態様３）
アンテナ素子アレイが、アンテナ素子アレイ内の多数のアンテナ素子を使用して高周波ビームを放射し、アンテナ素子アレイから多数のアンテナ素子を選択するコントローラを備えている、態様１に記載の装置。
（態様４）
アンテナ素子の数を変更することにより位置が変化する、態様１に記載の装置。
（態様５）
アンテナ素子アレイが、メタマテリアルレンズ及びレンズを通過する第２高周波ビームを受信する、態様１に記載の装置。
（態様６）
第３角度が、アンテナ素子アレイが位置する平面に対して略平行である、態様１に記載の装置。
（態様７）
メタマテリアルレンズが複数の不連続要素を含んでいる、態様１に記載の装置。
（態様８）
複数の不連続要素が、１つの構成に配置された複数のメタマテリアルユニットセルを含んでいる、態様７に記載の装置。
（態様９）
アンテナ素子アレイ内の多数のアンテナ素子が、アンテナ素子アレイ内で互いに隣接する第１アンテナ素子、及びアンテナ素子アレイ内で互いに隣接しない第２アンテナ素子のうちの一方から選択される、態様１に記載の装置。
（態様１０）
レンズが、負屈折率メタマテリアル及び正屈折率メタマテリアルのうちの少なくとも１つにより構成されている、態様１に記載の装置。
（態様１１）
更にプラットフォームを備えており、アンテナ素子アレイ、アンテナ素子アレイの上に位置するレンズ、及びメタマテリアルレンズがプラットフォームに設置されており、プラットフォームが、移動プラットフォーム、静止プラットフォーム、陸上構造、水中構造、空中構造、航空機、水上艦、戦車、人員運搬車、列車、宇宙船、宇宙ステーション、衛星、潜水艦、自動車両、及び建築物のうちの１つから選択される、態様１に記載の装置。
（態様１２）
高周波ビームを放射するアンテナ素子アレイと、
アンテナ素子アレイの上に位置し、高周波ビームがレンズから出射するときに、高周波ビームがレンズに入射する第１角度を第２角度に変化させるレンズであって、第２角度が、高周波ビームがレンズに入射する位置が変化するときに変化するレンズと、
レンズの上に位置する負屈折率メタマテリアルレンズであって、バッキーボール形状を有し、かつ高周波ビームが負屈折率メタマテリアルレンズから出射するときに、高周波ビームが負屈折率メタマテリアルレンズに入射する第２角度を第３角度に変化させる負屈折率メタマテリアルレンズと、
アンテナ素子アレイから多数のアンテナ素子を選択して、高周波ビームがレンズに入射する位置を変化させるコントローラと
を備えたアンテナシステム。
（態様１３）
高周波ビームをステアリングする方法であって、
アンテナ素子アレイから第１角度でレンズに向けて、レンズの一の位置に、高周波ビームを放射することと、
高周波ビームがレンズから出射するときに、高周波ビームの第１角度を第２角度に変化させることであって、高周波ビームがレンズに入射する位置が変化すると第２角度が変化することと、
第２角度の高周波ビームが、レンズの上に位置する負屈折率メタマテリアルレンズを通過するときに、高周波ビームの第２角度を第３角度に変化させることと
を含む方法。
（態様１４）
アンテナ素子アレイから多数のアンテナ素子を選択して、高周波ビームを前記位置に放射することを更に含む、態様１３に記載の方法。
（態様１５）
高周波ビームが第１高周波ビームであり、前記位置が第１位置であり、更に、
アンテナ素子アレイから第４角度でレンズに向けて、レンズの第２位置に、第２高周波ビームを放射することと、
第２高周波ビームがレンズから出射するときに、第２高周波ビームの第４角度を第５角度に変化させることであって、第５角度が、第２高周波ビームがレンズに入射する第２位置が変化するときに変化することと、
第５角度の第２高周波ビームが、レンズの上に位置する負屈折率メタマテリアルレンズを通過するときに、第２高周波ビームの第５角度を第６角度に変化させることと
を含む、態様１３に記載の方法。